(57)【要約】【課題】広告用記憶媒体の利用促進に資することのできる広告用記憶媒体発行装置を提供すること。【解決手段】配信サーバコンピュータ３１から広告コンテンツデータを受信する広告コンテンツデータ受信手段７１と、該受信した広告コンテンツデータを記憶する広告コンテンツデータ記憶手段７６と、発行に使用する広告用記憶媒体２ａ〜ｃを貯留する広告用記憶媒体貯留部６９と、該貯留された広告用記憶媒体２ａ〜ｃの不揮発性メモリ部２３に、広告コンテンツデータ記憶手段７６に記憶されている広告コンテンツデータを書き込み記憶する書き込み記憶手段６２と、該書き込み記憶された広告用記憶媒体２ａ〜ｃを利用者が取得可能な状態にて保持する保持部５３と、を備える。【選択図】図２
2007122375.tif 000002
【特許請求の範囲】
【請求項１】
利用者が利用可能な利用者端末に着脱可能な所定形状とされ、該利用者端末との間においてデータの授受を行うための接続インタフェースと、少なくとも広告コンテンツデータが記憶された不揮発性メモリ部とを備える広告用記憶媒体を利用者に発行するための広告用記憶媒体発行装置であって、
データ通信可能に接続された配信サーバコンピュータから配信される広告コンテンツデータを受信する広告コンテンツデータ受信手段と、
該広告コンテンツデータ受信手段にて受信した広告コンテンツデータを記憶する広告コンテンツデータ記憶手段と、
発行に使用する複数の広告用記憶媒体を貯留するための広告用記憶媒体貯留部と、
該広告用記憶媒体貯留部に貯留された広告用記憶媒体の不揮発性メモリ部に、前記広告コンテンツデータ記憶手段に記憶されている広告コンテンツデータを書き込み記憶する書き込み記憶手段と、
該書き込み記憶手段にて広告コンテンツデータが書き込み記憶された広告用記憶媒体を利用者が取得可能な状態にて保持する保持部と、
を備えることを特徴とする広告用記憶媒体発行装置。
【請求項２】
利用者から利用済みの広告用記憶媒体を受付ける回収受付け部と、該回収受付け部にて回収した回収広告用記憶媒体を、当該回収広告用記憶媒体が前記広告用記憶媒体貯留部において所定の貯留態様にて貯留されることとなる所定の向きに調整して該広告用記憶媒体貯留部に供給する回収記憶媒体供給手段を備えることを特徴とする請求項１に記載の広告用記憶媒体発行装置。
【請求項３】
前記保持部に保持している広告用記憶媒体の数量を検知するための保持数検知手段と、
該保持数検知手段にて広告用記憶媒体の数量が予め定められた複数の広告用記憶媒体となる所定値未満となったことが検知されたときに、該保持部に保持されている広告用記憶媒体の数量が所定値となるように、前記書き込み記憶手段にて広告コンテンツデータが書き込み記憶された広告用記憶媒体を補充する補充制御を行う制御手段と、
を備えることを特徴とする請求項１または２に記載の広告用記憶媒体発行装置。
【請求項４】
前記保持部に保持されている広告用記憶媒体を前記回収受付け部に受付けさせるための保持記憶媒体回収手段を備え、
前記制御手段は、新たに配信された広告コンテンツデータが前記広告コンテンツデータ記憶手段に記憶されたことを条件として、前記保持記憶媒体回収手段により前記保持部に保持されている広告用記憶媒体を前記回収受付け部に受付けさせる制御を実施することを特徴とする請求項３に記載の広告用記憶媒体発行装置。
【請求項５】
前記配信サーバコンピュータから配信される広告コンテンツデータには、当該広告コンテンツに関する印字情報が含まれており、
前記広告用記憶媒体および／または広告用記憶媒体に付加される付加部の少なくとも一部には、当該広告用記憶媒体に記憶されている広告コンテンツに関する情報を目視可能に表示するための印字部が設けられており、該印字部に前記配信される広告コンテンツデータに含まれる印字情報を印字するプリント手段を備えることを特徴とする請求項１〜４のいずれかに記載の広告用記憶媒体発行装置。
【請求項６】
前記広告用記憶媒体に設けられている印字部が、印字を書き換え記録可能なリライト記録部であって、
前記プリント手段は、前記リライト記録部の印字を書き換え記録するリライト機能を有することを特徴とする請求項５に記載の広告用記憶媒体発行装置。
【請求項７】
前記広告コンテンツデータは前記利用者端末の各種別に対応した複数種類の広告コンテンツデータを含むとともに、前記保持部は、対応する種別を利用者が特定可能な表示に対応付けて前記利用者端末の各種別毎に設けられており、
前記書き込み記憶手段は、各保持部に供給する広告用記憶媒体に、当該保持部が対応する種別の広告コンテンツデータを書き込むことを特徴とする請求項１〜６のいずれかに記載の広告用記憶媒体発行装置。
【請求項８】
前記広告用記憶媒体は、記憶されている広告コンテンツデータが閲覧可能な前記利用者端末の種別に関する対応種別情報が目視可能に表示された種別表示部を有しており、
前記種別表示部の表示に基づいて、前記回収受付け部にて回収した回収広告用記憶媒体の種別を特定して、各種別毎に回収広告用記憶媒体を仕分ける仕分け手段を備えることを特徴とする請求項２〜７のいずれかに記載の広告用記憶媒体発行装置。
【請求項９】
前記配信サーバコンピュータから配信される広告コンテンツデータには、当該広告コンテンツに関する広告情報が含まれており、
当該広告情報を利用者に対して出力するための広告情報出力手段を備えることを特徴とする請求項１〜８のいずれかに記載の広告用記憶媒体発行装置。
【請求項１０】
利用者の接近を検知するための人接近検知手段を備え、
前記広告情報出力手段は、前記人接近検知手段により利用者の接近を検知したことを条件として前記広告情報を出力すること特徴とする請求項９に記載の広告用記憶媒体発行装置。
【請求項１１】
前記広告コンテンツデータ受信手段は、少なくとも当該広告用記憶媒体発行装置が設置される設置場所において無線データ通信にて広告コンテンツデータを受信することを特徴とする請求項１〜１０のいずれかに記載の広告用記憶媒体発行装置。
【発明の詳細な説明】
【技術分野】
【０００１】
本発明は、広告コンテンツを記憶して利用者に無料にて配布するための広告用記憶媒体を発行するための広告用記憶媒体発行装置に関する。
【背景技術】
【０００２】
近年、広告媒体として、広告コンテンツ等が印刷された広告印刷物を含む雑誌等を無料で配布するフリーペーパーが、広告手段として多く利用されるようになってきている。
【０００３】
一方、広告手段として印刷物を用いる場合には、広告印刷物を印刷したり製本したりする製造工程や、その配送や配布等に費用や時間を要することから、近年のインターネットの普及に伴って、広告コンテンツデータが配信可能に記憶されたサーバコンピュータに利用者がインターネット網を通じてアクセスするように誘導して、各利用者に広告コンテンツデータを配信するようにすることで、広告印刷物を印刷したり製本したりする製造工程や、その配送や配布等に要する費用や時間を削減して、より安価に且つ迅速に広告主が広告を実施できるようにしたシステムがある（例えば、特許文献１参照）。
【０００４】
【特許文献１】特開２００３−３１６３０６号公報
【発明の開示】
【発明が解決しようとする課題】
【０００５】
しかしながら、前述の特許文献１のシステムにあっては、利用者（アクセス者）がサーバコンピュータから広告コンテンツデータの配信を受けるためには、広告コンテンツデータを受信するための通信費（パケット代金）を利用者（アクセス者）自身が負担する必要があり、近年、広告コンテンツが、コマーシャルの動画等を含むリッチコンテンツとなってきている状況にあっては、これらの動画等を含む広告コンテンツの配信を受ける場合には、利用者（アクセス者）が負担する通信費（パケット代金）が、大きなものとなってしまうという問題があった。
【０００６】
このため、近年の不揮発性メモリ、特にはフラッシュメモリの製造技術の進歩と、普及による量産効果とにより、これらフラッシュメモリを使用した記憶媒体、特に、利用者が携行できる携帯電話に装着可能なメモリカードの記憶容量の増加と、低価格化の進捗速度が著しく、比較的容量の大きな数十メガバイトのメモリカードが、非常に安価に製造されるようになってきていることから、これら安価となったメモリカードに、広告コンテンツ等を記憶し、フリーペーパーと同様に無償で配布することが考えられるが、この場合においては、これら広告コンテンツのメモリカードへの記憶を、制作センター等で集中的に実施した後、これら広告コンテンツを記憶したメモリカードを、無償で配布を行う、例えばコンビニエンスストア等の店舗に対して、送付する数量を決めて配送する必要があるとともに、配送先の店舗においても、配送されてきたメモリカードを利用者となる来的客が取得できるように陳列したり、或いは、店員が配布する必要が生じ、これらのメモリカードの配送や配布において、多くの時間や労力が必要となり、結果として、メモリカードの配布（発行）までに必要な時間が長くなってしまうとともに、広告用記憶媒体の発行に必要とされる経費が大きく、よって広告主が負担する広告費も広告用記憶媒体が無償で配布されるものであることから大きなものとなってしまい、広告用記憶媒体の利用を促進できないという問題があった。
【０００７】
本発明は、このような問題点に着目してなされたもので、広告用記憶媒体の配布（発行）までに必要な時間を短縮でき、且つ、広告用記憶媒体の発行に必要とされる経費を抑制することで、広告用記憶媒体の利用促進に資することのできる広告用記憶媒体発行装置を提供することを目的とする。
【課題を解決するための手段】
【０００８】
上記課題を解決するために、本発明の請求項１に記載の広告用記憶媒体発行装置は、
利用者が利用可能な利用者端末に着脱可能な所定形状とされ、該利用者端末との間においてデータの授受を行うための接続インタフェースと、少なくとも広告コンテンツデータが記憶された不揮発性メモリ部とを備える広告用記憶媒体を利用者に発行するための広告用記憶媒体発行装置であって、
データ通信可能に接続された配信サーバコンピュータから配信される広告コンテンツデータを受信する広告コンテンツデータ受信手段と、
該広告コンテンツデータ受信手段にて受信した広告コンテンツデータを記憶する広告コンテンツデータ記憶手段と、
発行に使用する複数の広告用記憶媒体を貯留するための広告用記憶媒体貯留部と、
該広告用記憶媒体貯留部に貯留された広告用記憶媒体の不揮発性メモリ部に、前記広告コンテンツデータ記憶手段に記憶されている広告コンテンツデータを書き込み記憶する書き込み記憶手段と、
該書き込み記憶手段にて広告コンテンツデータが書き込み記憶された広告用記憶媒体を利用者が取得可能な状態にて保持する保持部と、
を備えることを特徴としている。
この特徴によれば、広告用記憶媒体を利用者に配布する店舗等の配布場所に広告用記憶媒体発行装置を設置することで、当該広告用記憶媒体発行装置において、配信サーバコンピュータから配信された広告コンテンツデータが広告用記憶媒体に書き込み記憶されて、利用者が取得可能な状態にて保持されるようになり、広告コンテンツデータが記憶された広告用記憶媒体を配送する必要がないばかりか、配布のための陳列等の作業も必要ないので、広告用記憶媒体の配布（発行）までに必要な時間を短縮でき、且つ、広告用記憶媒体の発行に必要とされる経費を抑制でき、よって広告用記憶媒体の利用を促進することができる。
【０００９】
本発明の請求項２に記載の広告用記憶媒体発行装置は、請求項１に記載の広告用記憶媒体発行装置であって、
利用者から利用済みの広告用記憶媒体を受付ける回収受付け部と、該回収受付け部にて回収した回収広告用記憶媒体を、当該回収広告用記憶媒体が前記広告用記憶媒体貯留部において所定の貯留態様にて貯留されることとなる所定の向きに調整して該広告用記憶媒体貯留部に供給する回収記憶媒体供給手段を備えることを特徴としている。
この特徴によれば、広告用記憶媒体を繰返し使用することができ、発行コストを低減できるばかりか、不用意に捨てられてゴミ化する広告用記憶媒体を低減できる。
【００１０】
本発明の請求項３に記載の広告用記憶媒体発行装置は、請求項１または２に記載の広告用記憶媒体発行装置であって、
前記保持部に保持している広告用記憶媒体の数量を検知するための保持数検知手段と、
該保持数検知手段にて広告用記憶媒体の数量が予め定められた複数の広告用記憶媒体となる所定値未満となったことが検知されたときに、該保持部に保持されている広告用記憶媒体の数量が所定値となるように、前記書き込み記憶手段にて広告コンテンツデータが書き込み記憶された広告用記憶媒体を補充する補充制御を行う制御手段と、
を備えることを特徴としている。
この特徴によれば、保持部には、ほぼ定常的に複数の広告用記憶媒体となる所定値の数量の広告用記憶媒体が保持されるようになるので、利用者が、例えば友人等にも広告用記憶媒体を手渡そうとして、複数の広告用記憶媒体を取得する場合や、短時間内に複数の利用者が広告用記憶媒体を取得する場合においても、保持されている広告用記憶媒体がなくなる状況の発生頻度を低減でき、利用者の利便性を向上できる。
【００１１】
本発明の請求項４に記載の広告用記憶媒体発行装置は、請求項３に記載の広告用記憶媒体発行装置であって、
前記保持部に保持されている広告用記憶媒体を前記回収受付け部に受付けさせるための保持記憶媒体回収手段を備え、
前記制御手段は、新たに配信された広告コンテンツデータが前記広告コンテンツデータ記憶手段に記憶されたことを条件として、前記保持記憶媒体回収手段により前記保持部に保持されている広告用記憶媒体を前記回収受付け部に受付けさせる制御を実施することを特徴としている。
この特徴によれば、保持部に残存する広告用記憶媒体が全てなくなるまで、新たな広告コンテンツデータが記憶された広告用記憶媒体を提供できなかったり、利用者が新たな広告コンテンツデータが記憶された広告用記憶媒体と思って取得したものが、古い広告コンテンツデータが記憶された広告用記憶媒体であること等の不都合の発生を回避できるとともに、これら保持部に残存する広告用記憶媒体も無駄にすることなく、回収して再使用することができる。
【００１２】
本発明の請求項５に記載の広告用記憶媒体発行装置は、請求項１〜４のいずれかに記載の広告用記憶媒体発行装置であって、
前記配信サーバコンピュータから配信される広告コンテンツデータには、当該広告コンテンツに関する印字情報が含まれており、
前記広告用記憶媒体および／または広告用記憶媒体に付加される付加部の少なくとも一部には、当該広告用記憶媒体に記憶されている広告コンテンツに関する情報を目視可能に表示するための印字部が設けられており、該印字部に前記配信される広告コンテンツデータに含まれる印字情報を印字するプリント手段を備えることを特徴としている。
この特徴によれば、利用者は、広告用記憶媒体を利用者端末に装着することなく、当該広告用記憶媒体に記憶されている広告コンテンツの内容等を把握することができるので、利用者の利便性を向上できる。
【００１３】
本発明の請求項６に記載の広告用記憶媒体発行装置は、請求項５に記載の広告用記憶媒体発行装置であって、
前記広告用記憶媒体に設けられている印字部が、印字を書き換え記録可能なリライト記録部であって、
前記プリント手段は、前記リライト記録部の印字を書き換え記録するリライト機能を有することを特徴としている。
この特徴によれば、例えば回収した印字部の貼り替え等を実施することなく、簡便に印字を書き換えられるので、迅速に広告用記憶媒体を再利用できる。
【００１４】
本発明の請求項７に記載の広告用記憶媒体発行装置は、請求項１〜６のいずれかに記載の広告用記憶媒体発行装置であって、
前記広告コンテンツデータは前記利用者端末の各種別に対応した複数種類の広告コンテンツデータを含むとともに、前記保持部は、対応する種別を利用者が特定可能な表示に対応付けて前記利用者端末の各種別毎に設けられており、
前記書き込み記憶手段は、各保持部に供給する広告用記憶媒体に、当該保持部が対応する種別の広告コンテンツデータを書き込むことを特徴としている。
この特徴によれば、広告用記憶媒体に記憶されている広告コンテンツデータが対応する利用者端末の種別を簡便に把握することができるので、利用者が、自身が利用する利用者端末にて閲覧できない広告コンテンツデータが記憶された広告用記憶媒体を誤って入手（配布を受ける）することを、極力回避することができる。
【００１５】
本発明の請求項８に記載の広告用記憶媒体発行装置は、請求項２〜７のいずれかに記載の広告用記憶媒体発行装置であって、
前記広告用記憶媒体は、記憶されている広告コンテンツデータが閲覧可能な前記利用者端末の種別に関する対応種別情報が目視可能に表示された種別表示部を有しており、
前記種別表示部の表示に基づいて、前記回収受付け部にて回収した回収広告用記憶媒体の種別を特定して、各種別毎に回収広告用記憶媒体を仕分ける仕分け手段を備えることを特徴としている。
この特徴によれば、回収広告用記憶媒体が、その種別毎に自動的に仕分けられて広告用記憶媒体貯留部にて貯留されるようになるので、これら各種別毎の広告用記憶媒体の再利用を容易に実施できるようになる。
【００１６】
本発明の請求項９に記載の広告用記憶媒体発行装置は、請求項１〜８のいずれかに記載の広告用記憶媒体発行装置であって、
前記配信サーバコンピュータから配信される広告コンテンツデータには、当該広告コンテンツに関する広告情報が含まれており、
当該広告情報を利用者に対して出力するための広告情報出力手段を備えることを特徴としている。
この特徴によれば、広告情報を出力することで、発行中の広告用記憶媒体に記憶されている広告コンテンツの例えば内容等を、利用者に積極的にアピールできるようになるので、広告用記憶媒体の利用者の取得を促進することができる。
【００１７】
本発明の請求項１０に記載の広告用記憶媒体発行装置は、請求項９に記載の広告用記憶媒体発行装置であって、
利用者の接近を検知するための人接近検知手段を備え、
前記広告情報出力手段は、前記人接近検知手段により利用者の接近を検知したことを条件として前記広告情報を出力すること特徴としている。
この特徴によれば、装置の近傍に人がいない状況において、不必要に広告情報が出力されてしまうことを回避でき、効率的なアピールを実施できる。
【００１８】
本発明の請求項１１に記載の広告用記憶媒体発行装置は、請求項１〜１０のいずれかに記載の広告用記憶媒体発行装置であって、
前記広告コンテンツデータ受信手段は、少なくとも当該広告用記憶媒体発行装置が設置される設置場所において無線データ通信にて広告コンテンツデータを受信することを特徴としている。
この特徴によれば、設置場所の領域内において、データ通信のための配線による制約受けないので、装置の設置場所の自由度を向上できる。
【発明を実施するための最良の形態】
【００１９】
本発明の実施例を以下に説明する。
【実施例】
【００２０】
本発明の実施例を図面に基づいて説明すると、まず図１は、本発明の広告用記憶媒体発行装置５０が適用された広告用記憶媒体発行システムの構成を示すシステム図であり、図２は、本実施例の広告用記憶媒体発行システムに用いた広告用記憶媒体発行装置５０を示す外観斜視図である。
【００２１】
本実施例の広告用記憶媒体発行システムは、図１に示すように、広告用記憶媒体となる本実施例のメモリカード２ａ，２ｂ，２ｃの発行を行う発行会社に対して広告を依頼する広告主（広告代理店を含む）Ａ，Ｂ，Ｃ…に設置されているコンピュータ端末３４ａ，３４ｂ，３４ｃ…と、発行会社に設置され、広告主Ａ，Ｂ，Ｃ…から依頼された広告依頼内容に基づいて広告コンテンツを制作するための制作用コンピュータ３２並びに該制作用コンピュータ３２にて制作された広告コンテンツデータを配信するための配信サーバコンピュータ３１と、各店舗Ａ，Ｂ…に設置されている多数の広告用記憶媒体発行装置５０と、前記配信サーバコンピュータ３１から配信される広告コンテンツデータを、各店舗Ａ，Ｂ…に設置されている多数の広告用記憶媒体発行装置５０に配信するためのミラーサーバ３３ａ，３３ｂ，３３ｃ…と、から主に構成されている。
【００２２】
そして、配信サーバコンピュータ３１は、インターネット網１００を介して、ミラーサーバ３３ａ，３３ｂ，３３ｃ…並びに各広告用記憶媒体発行装置５０とデータ通信可能に接続されており、これらミラーサーバ３３ａ，３３ｂ，３３ｃ…を介して、或いは直接的に各広告用記憶媒体発行装置５０に対して広告コンテンツデータを配信できるようになっている。
【００２３】
尚、広告用記憶媒体発行装置５０は、例えば、店舗Ａに示すように、店舗内に設けられた無線ＬＡＮのアクセスポイント（ＡＰ）、若しくは、店舗Ｂに示すように、公衆の無線ＬＡＮのアクセスポイント（ＡＰ）との無線データ通信が可能な店舗であれば、公衆の無線ＬＡＮのアクセスポイント（ＡＰ）を介してインターネット網１００に接続されている。
【００２４】
また、配信サーバコンピュータ３１は、インターネット網１００を介して各広告主（広告代理店を含む）Ａ，Ｂ，Ｃ…のコンピュータ端末３４ａ，３４ｂ，３４ｃ…ともデータ通信可能に接続されており、該コンピュータ端末３４ａ，３４ｂ，３４ｃ…から、所定の広告依頼フォームによる広告の依頼の受付けを実施できるようになっている。
【００２５】
次に、本実施例に用いた広告用記憶媒体発行装置５０について、図２〜図５に基づいて説明すると、本実施例の広告用記憶媒体発行装置５０は、図２に示すように、前後方向に長い上面視略長方形の箱状の外観形状を有する筐体５１とされており、その前面側には、発行する広告用記憶媒体としてのメモリカード２ａ，２ｂ，２ｃに記憶されている広告コンテンツに関する情報が表示される液晶モジュール５２にて形成される表示部５２’が、上方側にやや傾斜するようにして設けられている。
【００２６】
この表示部５２’に表示される情報としては、具体的には、図３に示すように、配信されてきた広告コンテンツデータに含まれる広告情報に基づく表示、例えば、何月号であるかや、無料であることや、発行するメモリカード２ａ，２ｂ，２ｃに記憶されている広告コンテンツに含まれている各コンテンツの内容についての情報が表示されるとともに、その下方位置に設けられている後述する発行口５５ａ，５５ｂ，５５ｃが対応する携帯電話会社名（キャリア名）が、各携帯電話会社（キャリア）に付与された所定の色にて表示されるようになっている。
【００２７】
そして、広告用記憶媒体発行装置５０の前面の下方位置、つまりは、表示部５２’の下方部分には、広告コンテンツデータが記憶された所定数量のメモリカード２ａ，２ｂ，２ｃがストックされている本発明における保持部となるカードホルダ部５３が、前面から突出する態様にて設けられている。
【００２８】
そして、該カードホルダ部５３の前面には、図８に示すように、発行されるメモリカード２が装着される利用者端末である携帯電話機１の各種別となる、携帯電話機１の各携帯電話会社に対応する３つの発行口５５ａ，５５ｂ，５５ｃが設けられているとともに、これら発行口５５ａ，５５ｂ，５５ｃに連通する３つのホルダ内にストックされているメモリカードの残量を目視確認可能とするための確認窓５４ａ，５４ｂ，５４ｃが設けられている。
【００２９】
ここで、メモリカード２ａ，２ｂ，２ｃの利用対象となる携帯電話機１の種別について説明すると、本実施例のメモリカード２ａ，２ｂ，２ｃには、予め携帯電話機１の種別（キャリアの種別毎）に作成された後述の広告コンテンツデータが記憶されるようになっており、メモリカード２ａ，２ｂ，２ｃの利用対象となる携帯電話機１の種別とは、本実施例においては、キャリアの種別とされているが、本発明はこれに限定されるものではなく、これら種別として、当該メモリカードに記憶されている広告コンテンツデータを表示出力可能な機種の名称、例えば、当該携帯電話機１が準拠する規格の名称や、搭載されている閲覧プログラムの種別（名称）等としても良い。
【００３０】
また、カードホルダ部５３の上面には、人の接近を赤外線により検知するための本発明における人接近検知手段となる赤外線近接センサユニット７７が設けられており、近接した人から反射される当該ユニットから放出した赤外線を検知することで、人が装置の側方や前方に近接したことを検知して、検知信号を後述する制御ユニット６１に出力するようになっている（図５参照）。
【００３１】
そして、これらカードホルダ部５３の下方には、該カードホルダ部５３を下方側から覆うように本発明における回収受付け部となる回収ホッパ５６が設けられており、該回収ホッパ５６に投入された使用済みのメモリカード２ａ，２ｂ，２ｃ並びに、広告コンテンツの更新時において発行口５５ａ，５５ｂ，５５ｃから排出される未使用のメモリカード２ａ，２ｂ，２ｃが、回収ホッパ５６の下方位置に形成された回収口５７から筐体５１内部に取り込まれるようになっている。
【００３２】
また、筐体５１の上面には、後述する筐体５１内のカードストッカ６９を取り出すための開閉蓋５９が設けられているとともに、側面部の筐体５１の内方部には、利用者への広告音声等を出力するためのスピーカ７８が設けられている。尚、図２中の６０は、前述したアクセスポイントとの間の無線通信を実施するための電波の送受を行うための通信アンテナである。
【００３３】
次に、本実施例の広告用記憶媒体発行装置５０の構成について図３並びに図４に基づいて説明すると、図３は、図２におけるＡ−Ａ断面を示す断面図であり、図４は本実施例の広告用記憶媒体発行装置５０のブロック図である。
【００３４】
本実施例の広告用記憶媒体発行装置５０の内部は、図３に示すように、装置の上方側となる発行部と、装置の下方側となる回収部とに大きく２つに分かれている。
【００３５】
そして、発行部側の前記開閉蓋５９の直下となる位置には、発行に使用されるメモリカード２を貯留するための本発明における広告用記憶媒体貯留部となるカードストッカ６９が、ストッカホルダ６９’に嵌着されて着脱自在に保持されており、該カードストッカ６９を、開閉蓋５９を開けて筐体５１外に取り出すことで、メモリカード２が補充された他のカードストッカ６９への取り替えや、取り出したカードストッカ６９へのメモリカード２ａ，２ｂ，２ｃの補充を容易に実施できるようになっている。
【００３６】
そして、該ストッカホルダ６９’の下方には搬送ユニット６６が設けられており、嵌着されたカードストッカ６９内に貯留されているメモリカード２が、発行部の前面側に連設されているカードリーダライタ６２に１枚づつ搬送されるようになっている。
【００３７】
尚、本実施例では、前述のように、各携帯電話会社に対応する３つの発行口５５ａ，５５ｂ，５５ｃが設けられており、これらの発行口５５ａ，５５ｂ，５５ｃから発行するメモリカード２を、間違いなく識別できるように、図６に示すように、各携帯電話会社（キャリア）に対応する異なる色（表示部５２’における表示色と同一）とキャリア名とが表示された種別表示部２６を有する３種類のメモリカード２ａ，２ｂ，２ｃを用いていることから、カードストッカ６９は、これら３種類のメモリカード２ａ，２ｂ，２ｃを個別に貯留できるように、３つの区画を有しているとともに、搬送ユニット６６も各メモリカード２ａ，２ｂ，２ｃをカードリーダライタ６２に個別のレーンにて搬送するようになっている。
【００３８】
また、ストッカホルダ６９’には、これら各区画に貯留されているメモリカード２ａ，２ｂ，２ｃ残量が所定量以下となったことを検知するための残量センサ７０ａ，７０ｂ，７０ｃが設けられており、これら残量センサ７０ａ，７０ｂ，７０ｃにより各区画に貯留されているメモリカード２ａ，２ｂ，２ｃ残量が所定量以下となったことが検知された場合には、該残量センサ７０ａ，７０ｂ，７０ｃからの検知信号の出力に基づいて、カードリーダライタ６２の上方位置に設けられている制御ユニット６１が、補充が必要であることを表示部５２’に表示するとともに、スピーカ７８から所定の報知音を出力して報知するようになっている。
【００３９】
この本実施例に用いたカードリーダライタ６２は、搬送されてきた３種類のメモリカード２ａ，２ｂ，２ｃを個別に処理するための３つのレーンを有しており、図４に示すように、各レーン毎に設けられ、搬送されてきた各種のメモリカード２ａ，２ｂ，２ｃに対応する広告コンテンツデータを書き込み記憶するための本発明における書き込み記憶手段となる書き込み記憶部６２’と、各メモリカード２ａ，２ｂ，２ｃに貼付されている本発明における印字部となるリライトラベル２７におけるリライト部２５の印字の書き換えを実施する本発明におけるプリント手段となるプリント部６２”とから構成されている。
【００４０】
書き込み記憶部６２’は、メモリカード２ａ，２ｂ，２ｃに形成されている接続端子との電気的な接続を実施するための図示しないプローブ端子を備えており、該プローブ端子を介してメモリカード２ａ，２ｂ，２ｃに搭載されている後述するインタフェース制御部２１に対して、書き込み指示や書き込みする広告コンテンツデータを入力（送信）して、該入力した広告コンテンツデータをフラッシュメモリ２３に記憶させる。
【００４１】
プリント部６２”は、サーマルヘッド等から構成されており、リライト部２５に印字温度よりも低い温度を印加して古い印字を一旦消去した後、所定の印字温度にて図６に示すように、記憶された広告コンテンツデータに関する情報である、「フリー○●９月号  この秋・・・」等の印字を実施する。つまり、本実施例のリライト部２５は、印字を書き換え記憶可能とされており、本発明におけるリライト記録部に該当し、プリント手段を成すプリント部６２”は、該リライト記録部となるリライト部２５の印字を書き換えるリライト機能を有している。
【００４２】
このカードリーダライタ６２の上方で、且つ液晶モジュール５２の内方側には、図４に示すように、広告用記憶媒体発行装置５０の動作を制御する本発明における制御部となる制御ユニット６１と、アクセスポイントとの無線データ通信を実施するための無線ＬＡＮ通信モジュール７１とが設けられており、該無線ＬＡＮ通信モジュール７１は、図示しない同軸ケーブルにより通信アンテナ６０に接続されている。
【００４３】
本実施例の制御ユニット６１は、図５に示すように、広告用記憶媒体発行装置５０の各機能を実現するための制御動作内容が記述された制御プログラムや設定データ等が記憶されるプログラムロム（Ｐ−ＲＯＭ）７３や、これら制御プログラムを実行する制御マイコン（ＭＰＵ）７２や、該制御マイコン（ＭＰＵ）７２が各種の処理を実施する際のワークメモリ等として使用されるメモリ（ＲＡＭ）７４や、その時点の時刻や日付等の日時情報を出力可能なリアルタイムクロック（ＲＴＣ）７５や、本発明における広告コンテンツデータ記憶手段となる比較的記憶容量が大きなフラッシュメモリ７６を有しているとともに、広告用記憶媒体発行装置５０の各部と接続されていることにより、これら接続されている各部の動作を制御できるようになっている。
【００４４】
尚、図５中の７９は、前述のスピーカ７８を駆動するための駆動アンプであり、制御ユニット６１からの音声信号が駆動アンプにて増幅されてスピーカ７８から出力される。
【００４５】
また、カードリーダライタ６２のカード出口は、カードホルダ部５３の内部に傾斜路５３’を介して連結されており、カードリーダライタ６２のカード出口から排出されたメモリカード２ａ，２ｂ，２ｃは、それぞれが対応する発行口５５ａ，５５ｂ，５５ｃに繋がるカードホルダ部５３のホルダ内に流下してストックされる。
【００４６】
このカードホルダ部５３には、各ホルダ内にストックされているメモリカード２ａ，２ｂ，２ｃが所定枚数である１０枚であることを検知するための本発明における保持数検知手段となるストックセンサ６３ａ，６３ｂ，６３ｃと、発行口５５ａ，５５ｂ，５５ｃからのメモリカード２ａ，２ｂ，２ｃの取り出しを検知するための取出検知センサ５８ａ，５８ｂ，５８ｃが設けられており、これらの各センサが、接続されている制御ユニット６１に対して検出信号を出力することで、制御ユニット６１が各ホルダ内にストックされているメモリカード２ａ，２ｂ，２ｃが所定枚数である１０枚であるか否かや、発行口５５ａ，５５ｂ，５５ｃからメモリカード２ａ，２ｂ，２ｃが取り出されたか否かを把握できるようになっている。
【００４７】
また、カードホルダ部５３の下部位置の内方側には、図４に示すように、メモリカード２ａ，２ｂ，２ｃを取り出す利用者が、メモリカード２ａ，２ｂ，２ｃが対応する携帯電話会社（キャリア）を容易に確認できるようにするために、発行口５５ａ，５５ｂ，５５ｃからメモリカード２ａ，２ｂ，２ｃの種別表示部２６を露出させるための平板状の押し出し部材をその先端に備えるソレノイド６４ａ，６４ｂ，６４ｃが設けられている。尚、ソレノイド６４ａ，６４ｂ，６４ｃは、メモリカード２ａ，２ｂ，２ｃを発行口５５ａ，５５ｂ，５５ｃから排出可能とされており、広告コンテンツの更新時においてカードホルダ部５３にストックされているメモリカード２ａ，２ｂ，２ｃを、制御ユニット６１の動作指示に基づいて回収ホッパ５６内に排出する。
【００４８】
この回収ホッパ５６にて回収されたメモリカード２ａ，２ｂ，２ｃは、回収口５７を通じて装置下方の回収部に設けられた回収ユニット６５に供給される。
【００４９】
この本実施例の回収ユニット６５は、向き調整部６５’と仕分け部６５”とから主に構成されている。
【００５０】
向き調整部６５’には、その上部位置に小型のＣＣＤカメラが設けられており、該ＣＣＤカメラからの画像データが制御ユニット６１に出力されることで、制御ユニット６１のＭＰＵ７３により、該画像データから回収されたメモリカードの種別、つまり、メモリカード２ａであるか、メモリカード２ｂであるか、メモリカード２ｃであるかが、画像における種別表示部２６の色により識別されるとともに、その種別表示部２６の配置位置により、回収されたメモリカード２ａ，２ｂ，２ｃの向きが、カードストッカ６９において正しく貯留するための向きとなっているか否か、具体的には、裏返しになっているか、或いは向きが逆転しているかが判定され、正しい向きになっていない場合には、当該向き調整部６５’に設けられている図示しない回転機構並びに反転機能により、回収されたメモリカード２ａ，２ｂ，２ｃの向きが調整される。
【００５１】
また、仕分け部６５”は、向き調整部６５’にて正しい向きに調整され、種別が特定されたメモリカード２ａ，２ｂ，２ｃを、該特定された種別に応じて３つの並列するレーンに仕分けする機能を有しており、これら各レーンには、仕分けられたメモリカード２ａ，２ｂ，２ｃをカードストッカ６９に揚送するための揚送ユニット６７が連設されており、これら仕分けられたメモリカード２ａ，２ｂ，２ｃが、カードストッカ６９の各区画に個別に、且つ正しい一定方向の向きにて貯留される。尚、図４中の６８は、揚送ユニット６７を駆動する駆動モータである。
【００５２】
つまり、本実施例の回収ユニット６５において、種別表示部２６の表示に基づいて、回収したメモリカード２ａ，２ｂ，２ｃの種別を特定して、各種別毎にメモリカード２ａ，２ｂ，２ｃが仕分けられており、該回収ユニット６５によって本発明における仕分け手段が形成されている。
【００５３】
また、回収ユニット６５並びに揚送ユニット６７が、回収受付け部である回収ホッパ５６にて回収したメモリカード２ａ，２ｂ，２ｃを、当該メモリカード２ａ，２ｂ，２ｃが広告用記憶媒体貯留部となるカードストッカ６９において所定の貯留態様にて貯留されることとなる所定の向きに調整して該カードストッカ６９に供給しており、これら回収ユニット６５並びに揚送ユニット６７よって本発明における回収記憶媒体供給手段が形成されている。
【００５４】
次に、本実施例の広告用記憶媒体発行装置５０にてメモリカード２ａ，２ｂ，２ｃが発行されるまでの流れについて、以下に説明する。
【００５５】
まず、発行会社においては、各広告主Ａ，Ｂ，Ｃ…から受付けた広告依頼に基づいて、利用者に提供する広告コンテンツを制作する。これらの広告コンテンツには、例えば、企業のコマーシャル映像（動画）や、クーポン券や、試用可能なゲームや音楽等が含まれる。
【００５６】
また、これら広告コンテンツは、各携帯電話会社（キャリア）に対応する携帯電話機１において、利用できるデータの形式等が異なることから、各携帯電話会社（キャリア）毎に制作される。そして、これら個々の携帯電話会社（キャリア）を識別するためのＩＤに対応付けて、各携帯電話会社（キャリア）に対応する広告コンテンツが配信されることで、広告コンテンツデータに含まれるどのデータがどの携帯電話会社（キャリア）に対応するデータであるかを、配信を受ける広告用記憶媒体発行装置５０にて特定できるようになっている。
【００５７】
また、発行会社においては、発行するメモリカード２ａ，２ｂ，２ｃのリライト部２５に印字する、記憶されている広告コンテンツに関する情報、具体的には、図６に示すように、何月号であるかや、含まれるコンテンツの内容を表すコピー文を含む印字情報（データ）が作成され、該印字情報（データ）が広告コンテンツデータに含まれて配信される。
【００５８】
さらに、発行会社においては、発行するメモリカード２ａ，２ｂ，２ｃに記憶されている広告コンテンツを利用者にアピールするための広告情報（データ）、具体的には、表示部５２’に表示する広告表示データ並びにスピーカ７８から出力する広告音声から成る広告情報（データ）が制作され、該広告情報（データ）が広告コンテンツデータに含まれて配信される。
【００５９】
このようにして制作された広告コンテンツデータは、配信サーバコンピュータ３１から各ミラーサーバ３３ａ，３３ｂ，３３ｃ…に対して配信されて、これらミラーサーバ３３ａ，３３ｂ，３３ｃ…並びに配信サーバコンピュータ３１から各広告用記憶媒体発行装置５０に配信される。
【００６０】
具体的には、広告用記憶媒体発行装置５０の制御ユニット６１における設定データには、配信サーバコンピュータ３１に付与された特定のＵＲＬアドレスが含まれており、所定時間毎に、当該ＵＲＬアドレスの更新履歴データを制御ユニット６１はチェックするようになっており、その更新日時が、その時点においてフラッシュメモリ７６に記憶している最新の広告コンテンツデータの更新日時よりも新しい場合には、設定データに記憶されている所定のＩＰアドレスのミラーサーバ３３ａ，３３ｂ，３３ｃ…から、最新の広告コンテンツデータを取得するようになっている。つまり、ミラーサーバ３３ａ，３３ｂ，３３ｃ…並びに配信サーバコンピュータ３１から制作した新たな広告コンテンツデータを配信可能とした後、特定のＵＲＬアドレスの更新履歴を更新することで、各広告用記憶媒体発行装置５０が、自己に割り当てられたミラーサーバ３３ａ，３３ｂ，３３ｃ…から、アクセスポイント（ＡＰ）並びに無線ＬＡＮ通信モジュール７１を介して新たな広告コンテンツデータを受信する。
【００６１】
尚、本実施例では、多数の広告用記憶媒体発行装置５０への配信を迅速に実施可能とするために、ミラーサーバ３３ａ，３３ｂ，３３ｃを使用した配信を実施するようにしているが、本発明はこれに限定されるものではなく、広告用記憶媒体発行装置５０の数がさほど多くない場合等においては、これらミラーサーバ３３ａ，３３ｂ，３３ｃを使用せずに、全ての配信を配信サーバコンピュータ３１から実施するようにしても良い。つまり、本実施例における無線ＬＡＮ通信モジュール７１は、配信サーバコンピュータ３１から配信される広告コンテンツデータを受信しており、本発明における広告コンテンツデータ受信手段を形成している。
【００６２】
尚、本実施例においては、これら広告コンテンツデータ受信手段として、広告用記憶媒体発行装置５０が設置される設置場所である店舗において無線データ通信（電波並びに光りを含む）にて広告コンテンツデータを受信する無線ＬＡＮ通信モジュール７１を用いており、このようにすることは、設置場所の領域内において、データ通信のための配線による制約受けないので、装置の設置場所の自由度を向上できることから好ましいが、本発明はこれに限定されるものではなく、これら無線ＬＡＮ通信モジュール７１に代えて、有線にてデータ通信を行うようにしても良い。
【００６３】
このようにしてミラーサーバ３３ａ，３３ｂ，３３ｃ…或いは配信サーバコンピュータ３１から配信されてきた広告コンテンツデータは、全て、本発明における広告コンテンツデータ記憶手段となるフラッシュメモリ７６に記憶される。尚、この際、古い広告コンテンツデータは消去される。
【００６４】
そして、受信した新たな広告コンテンツデータをフラッシュメモリ７６に記憶した場合において制御ユニット６１は、表示部５２’に「処理中」を表示した後、ソレノイド６４ａ，６４ｂ，６４ｃに排出指示を出力して、カードホルダ部５３にストックされている全てのメモリカード２ａ，２ｂ，２ｃを、回収ホッパ５６内に順次排出させて、未使用のメモリカード２ａ，２ｂ，２ｃを回収する。
【００６５】
つまり、ソレノイド６４ａ，６４ｂ，６４ｃによって、保持部となるカードホルダ部５３にストック（保持）れているメモリカード２ａ，２ｂ，２ｃが回収受付け部となる回収ホッパ５６に受付けされるようになっており、該ソレノイド６４ａ，６４ｂ，６４ｃによって本発明における保持記憶媒体回収手段が形成されている。
【００６６】
そして、回収が終了した後、カードストッカ６９の各区画に貯留されている３種類のメモリカード２ａ，２ｂ，２ｃを、１枚づつカードリーダライタ６２に搬送ユニット６６により搬送させて供給し、該メモリカード２ａ，２ｂ，２ｃに、対応する携帯電話会社（キャリア）の広告コンテンツデータを書き込み記憶部６２’にて書き込み記憶させるとともに、プリント部６２”において、受信した広告コンテンツデータに含まれる印字情報（データ）のリライト部２５への印字を実施させ、該カードリーダライタ６２から傾斜路５３’を介して、新たな広告コンテンツデータが記憶されたメモリカード２ａ，２ｂ，２ｃをカードホルダ部５３内に、ストックセンサ６３ａ，６３ｂ，６３ｃがメモリカード２ａ，２ｂ，２ｃを検知するまで、つまり、所定枚数である１０枚となるまでストックする。
【００６７】
このようにすることで、図７に示すように、リライト部２５に古い印字がなされている回収されたメモリカード２ａ，２ｂ，２ｃは、新たな広告コンテンツデータに含まれる印字情報（データ）に基づく印字に書き換えられて繰返し使用されるようになる。
【００６８】
そして、該１０枚のストックが完了した後、制御ユニット６１は、ソレノイド６４ａ，６４ｂ，６４ｃに突出指示を出力して、カードホルダ部５３にストックされている最下方のメモリカード２ａ，２ｂ，２ｃの種別表示部２６を、利用者が目視可能に発行口５５ａ，５５ｂ，５５ｃから露出させる。
【００６９】
そして制御ユニット６１は、フラッシュメモリ７６に記憶されている新たな広告コンテンツデータに含まれている広告情報（データ）に含まれる広告表示データに基づいて、例えば、図３に示すような表示内容を表示部５２’に表示するとともに、赤外線近接センサユニット７７により人が近接したことが検知された場合には、新たな広告コンテンツデータに含まれている広告情報（データ）に含まれる広告音声データ、例えば「只今、フリー○●無料配布中、お試しコンテンツ満載の・・・」等の広告音声を、スピーカ７８から再生出力することで、利用者（来店客）の注目を喚起する。
【００７０】
つまり、表示部５２’並びにスピーカ７８により、広告情報である広告表示と広告音声とを利用者に対して出力しており、これら表示部５２’並びにスピーカ７８によって本発明における広告情報出力手段が形成されているとともに、広告情報出力手段となるスピーカ７８においては、赤外線近接センサユニット７７により人が近接したことを検知したことを条件として広告音声を出力している。
【００７１】
そして、利用者（来店客）は、自身が所有する携帯電話機１に対応するメモリカード２ａ，２ｂ，２ｃを特定して、特定した例えばメモリカード２ａを、発行口５５ａから取り出す。
【００７２】
そして、該メモリカード２ａの取り出しは、取出検知センサ５８ａにて検知されるとともに、該取り出しに応じてストックセンサ６３ａによるメモリカード２ａの検出が非検出となるので、制御ユニット６１は、当該取り出しによってカードホルダ部５３の最下方となったメモリカード２ａの種別表示部２６を、利用者が目視可能に発行口５５ａ，５５ｂ，５５ｃから露出させるとともに、該取り出しのあったメモリカード２ａと同一の種別であるメモリカード２ａを、カードストッカ６９からカードリーダライタ６２に供給して、広告コンテンツデータを書き込み記憶と、リライト部２５への印字を実施させて、ストックセンサ６３ａ，６３ｂ，６３ｃがメモリカード２ａ，２ｂ，２ｃを検知するまで（連続して複数枚の取り出しがある場合もあるので）、メモリカード２ａをカードホルダ部５３に補充する。
【００７３】
つまり、制御ユニット６１は、保持数検知手段となるストックセンサ６３ａにてメモリカード２ａの数量が予め定められた複数の広告用記憶媒体となる所定値である１０枚未満となったことが検知されたときに、保持部となるカードホルダ部５３に保持（ストック）されているメモリカード２ａ（広告用記憶媒体）の数量が所定値である１０枚となるように、カードリーダライタ６２（書き込み記憶手段）にて広告コンテンツデータが書き込み記憶されたメモリカード２ａを補充する補充制御を行っており、該補充制御を行う制御ユニット６１により本発明における制御手段が形成されている。
【００７４】
このようにすることで、カードホルダ部５３内には、ほぼ定常的に所定数量のメモリカード２ａ，２ｂ，２ｃがストックされているようになるので、例えば、１枚のみがカードホルダ部５３内にストックされている場合には、該ストックされているメモリカード２ａ，２ｂ，２ｃが取り出されてしまった場合には、カードリーダライタ６２による書き込み記憶並びにリライト部２５への印字が完了して補充がなされるまで、メモリカード２ａ，２ｂ，２ｃが無い状態となり、メモリカード２ａ，２ｂ，２ｃの配布を受けたい利用者が補充がなされるまで待たなければならない状況が発生する不都合を回避できるようになっている。
【００７５】
このようにして広告用記憶媒体発行装置５０にて発行された、例えばキャリアＡ用のメモリカード２ａは、図８に示すように、本発明における利用者端末となる携帯電話機１に設けられた装着部３に装着されて使用される。尚、以下の説明においては、これら３種類のメモリカード２ａ，２ｂ，２ｃを総称してメモリカード２として表記する。
【００７６】
ここで、本実施例に用いた携帯電話機１について、図９に基づいて簡潔に説明すると、各種の情報を表示出力するためのディスプレイ４と、数字や方向指示や決定ボタン等からなる入力部５と、図示しな携帯電話会社の基地局との間の無線通信を実施するための無線通信部１６と、ディジタル信号を制御して前記無線通信部における無線通信を制御するためのベースバンド処理部やアプリケーションプログラムの実行を制御するためのアプリケーション処理部等からなる処理部１１と、電話帳データや発着信履歴や各種の機能を提供するためのアプリケーションプログラム等の各種データを記憶するためのメモリ１２と、無線アンテナ１３と、処理部１１からの制御信号に基づいてディスプレイ４に各種データを出力させるディスプレイドライバ１４と、処理部１１からの制御信号に基づいてメモリカード２との間で各種制御コマンドの送信や各種データの送受信を行うメモリカードドライバ１５と、から構成されており、図示しない基地局を通じて、一般の電話機や他の携帯電話機との間における無線による通話機能を有するとともに、該基地局並びに当該携帯電話会社のゲートウェイサーバを介して、インターネット網１００上のサーバコンピュータや、該インターネット網に接続されている他の端末等との間においてデータの送受信を行うインターネット接続機能を備えている一般的な携帯電話機である。
【００７７】
そして、本実施例の携帯電話機１は、図８に示すように、メモリカード２を装着するための横長長方形状の装着部３を、携帯電話機１の側面部に有しており、該装着部３には、メモリカードとして一般的に用いられている、ＳＤ（Secure Digital）（ＳＤアソシエーション登録商標）メモリカード規格や、ｍｉｎｉＳＤメモリカード（ＳＤアソシエーション登録商標）規格のメモリカードを着脱できるようになっている。
【００７８】
次に、本実施例のメモリカード２について説明すると、本実施例のメモリカード２は、図６並びに図８に示すように、前記装着部３に着脱可能とするために、該装着部３に着脱可能な前述のＳＤ（Secure Digital）（ＳＤアソシエーション登録商標）メモリカード規格や、ｍｉｎｉＳＤメモリカード（ＳＤアソシエーション登録商標）規格のメモリカードと同一の所定形状の外観形状（接続端子等の配列も含む）とされている。
【００７９】
この本実施例に用いたメモリカード２の構成について、図９に基づいて説明すると、メモリカード２の内部には、携帯電話機１のメモリカードドライバ１５から送信されてくる各種制御コマンドやデータに応じて、後述するフラッシュメモリ２３へのアクセスの制御を行うインタフェース制御部２１と、当該メモリカード２の識別情報等を含む固有情報ならびにインタフェース制御部２１による制御内容を規定する設定情報などを記憶するためのレジスタ２２と、携帯電話機１との間で授受する各種データを記憶するための前記インタフェース制御部２１にローカルに接続された本発明の不揮発性メモリ部としてのフラッシュメモリ２３と、メモリカードドライバ１５並びにインタフェース制御部２１と接続されて両者の間で各種制御コマンドやデータを仲介する本発明の接続インタフェースとしてのインタフェースドライバ２４とが設けられており、これらのハード的な構成は、通常のメモリカードとほぼ同一の構成とされている。
【００８０】
この本実施例に用いたメモリカード２のレジスタ２２には、図９に示すように、フラッシュメモリ２３へのデータの書き込み及び消去を禁止するか否かを示す書換禁止ビットが含まれており、この書換禁止ビットが１であるときには、インタフェース制御部２１はフラッシュメモリ２３の全領域へのデータの書き込み及び消去、すなわち書き換えを禁止する。また、書換禁止ビットが０であるときには、インタフェース制御部２１はフラッシュメモリ２３の全領域へのデータの書き込み及び消去、すなわち書き換えを許可するようになっている。
【００８１】
また、レジスタ２２には、図９に示すように、書換禁止ビットに対応付けてパスワードが記憶されており、書換禁止ビットの解除（０に設定）は当該パスワードによって制御されるようになっている。後に詳述するが、書換禁止ビットを１に設定（変更）するときにはレジスタ２２に、当該設定を変更（解除）するためのパスワードも記憶されるようになっており、その後、レジスタ２２に記憶されているパスワードと同一のパスワードがインタフェース制御部２１に入力（受付け）されたことに基づいて、書換禁止ビットが解除（０に設定）されるようになっている。
【００８２】
メモリカード２のデータを書き換え記憶可能なフラッシュメモリ２３には、図９に示すように、当該フラッシュメモリ２３に記憶されている全ての広告コンテンツデータの見出し情報を含み、各種広告コンテンツデータへのアクセスが可能とされたメニューページを出力させるためのメニューデータや、広告コンテンツとなるコマーシャル等の動画データや、広告コンテンツデータであるクーポン券等の画像データや、広告コンテンツデータであるゲームデータや、当該メモリカード２を書き換え可能に設定するための条件を示す書換可能化条件や、書換可能化条件が充足されたかを判定するための判定プログラムデータ等が、前述のカードリーダライタ６２により書き込み記憶されているとともに、書換可能化条件は、予め定められたフラッシュメモリ２３の特定の記憶領域に記憶されている。
【００８３】
尚、これらメニューデータや、書換可能化条件等の各データも、広告コンテンツデータに含まれる形態にてミラーサーバ３３ａ，３３ｂ，３３ｃ…並びに配信サーバコンピュータ３１から配信される。
【００８４】
また、本実施例のメモリカード２は、広告用記憶媒体発行装置５０のカードリーダライタ６２により、予め定められた所定のパスワードにて前述の書換禁止ビットが１に設定（変更）されることにより、書き換え禁止に設定されている。そして、発行後に予め定められた所定の書換可能化条件を充足することで、書き換え禁止が解除可能とされるようになっている。メモリカード２は広告用記憶媒体であるため、書換可能化条件は、広告コンテンツデータの閲覧に関する条件、例えば、所定のキャンペーン期間が経過したことや、ＣＭ映像の出力回数が所定回数に到達したこと等とすれば良い。
【００８５】
このようにメモリカード２は、予め定められたパスワードを知りえない利用者にあっては、予め定められた書換可能化条件が満たされるまで、フラッシュメモリ２３に記憶されている広告コンテンツデータを容易に書き換えできない状態にて発行されるようになっている。
【００８６】
ここで、メモリカード２のインタフェース制御部２１が、携帯電話機１から送信されてくる各種制御コマンドやデータに応じて行う制御内容について以下に説明すると、まず、メモリカード２が携帯電話機１の装着部３に装着されて、携帯電話機１のメモリカードドライバ１５にメモリカード２のインタフェースドライバ２４が接続されると、メモリカード２に対して携帯電話機１から電源が供給される。換言すると、メモリカード２に電源が投入され起動される。
【００８７】
メモリカード２のインタフェース制御部２１には、図示しない電源の投入を検出する回路が搭載されており、メモリカード２が携帯電話機１の装着部３に装着されて電源が投入されたことに基づいて、メモリカード２のインタフェース制御部２１は携帯電話機１からの初期化コマンドの受信待ち処理を実施する。
【００８８】
このように携帯電話機１からの初期化コマンドを受信することにより初期化処理を行う。この初期化処理においては、レジスタ２２に記憶されているメモリカード２の識別情報等を含む固有情報ならびにインタフェース制御部２１による制御内容を規定する設定情報や、当該装着によって携帯電話機１から読み出させて自動実行させるデータが記憶されている起動読出アドレス情報などを含む初期化完了通知が、インタフェース制御部２１から携帯電話機１に送信される。
【００８９】
そして、該初期化処理を行った後、インタフェース制御部２１は、動作コマンドの受信待ち状態に移行する。
【００９０】
この動作コマンドの受信待ち状態においては、インタフェース制御部２１は、フラッシュメモリ２３の指定アドレスに記憶されているデータを抽出して送信する旨の読出コマンド、フラッシュメモリ２３の指定アドレスにデータを書き込む旨の書込コマンド、フラッシュメモリ２３の指定アドレスのデータを消去する旨の消去コマンド、フラッシュメモリ２３へのデータの書き込み及び消去の禁止状態と解除状態を切り替えるための書換禁止コマンドのいずれかを受信するまで待機する。
【００９１】
これら動作コマンドの受信待ち状態において読出コマンドを受信すると、携帯電話機１から読出コマンドとともに送信されてくるフラッシュメモリ２３の記憶領域を特定するためのアドレスデータを受信する。
【００９２】
そして、該アドレスデータの受信後にインタフェース制御部２１は、携帯電話機１（処理部１１）に対して、日時情報出力要求を送信して、その時点の日時情報を携帯電話機１（処理部１１）から取得した後、フラッシュメモリ２３の特定の記憶領域に記憶されている書換可能化条件から特定される所定のキャンペーン期間の期限を経過しているか否かを、取得したその時点の日時情報から判定し、期限内、すなわち、所定のキャンペーン期間中である場合には、フラッシュメモリ２３に受信したアドレスデータに対応付けて記憶されているデータを読み出し、該読み出したデータを携帯電話機１に送信して、動作コマンドの受信待ち状態に戻る一方、前記の判定において期限外、すなわち、所定のキャンペーン期間を過ぎている場合には、当該アドレスデータに対応付けて記憶されているデータの読み出しを行うことなく動作コマンドの受信待ち状態に戻る。
【００９３】
また、動作コマンドの受信待ち状態において書込（もしくは消去）コマンドを受信すると、携帯電話機１から書込コマンドとともに送信されてくるフラッシュメモリ２３の記憶領域を特定するためのアドレスデータと、当該記憶領域に書き込むためのデータを受信する。消去コマンドの場合には、アドレスデータのみを受信する。
【００９４】
そして、インタフェース制御部２１は、レジスタ２２の書換禁止ビットを取得して、書き換え可能か（書換禁止ビットが０であるか）を判定する。書き換え可能である場合には、Ｙと判定し、書込コマンドを受信した場合にはフラッシュメモリ２３に受信したアドレスデータに対応付けてデータを書き込んで、あるいは、消去コマンドを受信した場合にはフラッシュメモリ２３に受信したアドレスデータに対応付けて記憶されているデータを消去する。その後、動作コマンドの受信待ち状態に戻る。
【００９５】
また、書き換え可能でない（書換禁止ビットが１である）と判定した場合には、携帯電話機１から受信したアドレスデータにデータを書き込むことなく、もしくは、アドレスデータのデータを消去することなく、動作コマンドの受信待ち状態に戻る。
【００９６】
また、動作コマンドの受信待ち状態において書換禁止コマンドを受信すると、携帯電話機１から書換禁止コマンドとともに送信されてくるパスワードを受信する。
【００９７】
そして、インタフェース制御部２１は、レジスタ２２の書換禁止ビットを取得して、書き換え禁止か（１であるか）を判定する。書き換え禁止でない場合には、Ｎと判定して次のステップに進み、レジスタ２２に受信したパスワードを設定する。更に、レジスタ２２の書換禁止ビットを書き換え禁止（１）に設定する。その後、動作コマンドの受信待ち状態に戻る。
【００９８】
一方、レジスタ２２の書換禁止ビットが書き換え禁止（１）であった場合には、レジスタ２２に記憶されているパスワードを読み出す。そして、受信したパスワードと読み出したパスワードが一致したかを判定する。そして、該判定において受信したパスワードと読み出したパスワードが一致しなかった場合には、Ｎと判定して、何も処理を実施せずに動作コマンドの受信待ち状態に戻り、受信したパスワードと読み出したパスワードが一致した場合には、Ｙと判定して、レジスタ２２の書換禁止ビットを書き換え可能（０）に設定する。更に、レジスタ２２に記憶されているパスワードを消去して、動作コマンドの受信待ち状態に戻る。
【００９９】
また、本実施例の携帯電話機１の処理部１１は、装着部３にメモリカード２が装着されて、メモリカードドライバ１５にメモリカード２のインタフェースドライバ２４が接続されると、該接続を検知して、メモリカード２に電源を供給する。そして、メモリカード装着検知処理を実施する。
【０１００】
この本実施例のメモリカード装着検知処理においては、メモリカードドライバ１５を介して前述の初期化コマンドをメモリカード２に送信する。
【０１０１】
そして、初期化コマンドに対する応答として、前述の初期化完了通知の受信待ちに移行し、初期化完了通知の受信に基づいて次のステップに進む。
【０１０２】
そしてインタフェース制御部２１から受信した初期化完了通知に含まれる起動読出アドレス情報から特定される所定アドレス（例えば、０番地〜１００番地）を示すアドレスデータとともに読出コマンドを送信する。
【０１０３】
つまり、本実施例では、メモリカード２を装着すると、当該装着に基づいて起動読出アドレス情報を含む初期化完了通知が携帯電話機１に送信されることで、起動読出アドレス情報から特定されるメモリカード２の所定アドレス（例えば、０番地〜１００番地）に記憶されているデータを、携帯電話機１側から読み出させて、該携帯電話機１に当該読み出したデータに応じた処理を行う自動起動処理を、メモリカード２が実施させるようになっており、該自動起動処理において読み出されるデータとしては、前述のメニューデータとされている。
【０１０４】
すなわちメモリカード２が、携帯電話機１への装着を検知することにより携帯電話機１に自動起動処理を実施させることで、該自動起動処理における読出コマンドに基づいてインタフェース制御部２１が携帯電話機１に送信したメニューデータに基づいて、携帯電話機１のディスプレイ４にメニューページを表示出力させるようになっている。
【０１０５】
尚、自動起動処理においては読み出すデータをアドレスで指定する構成としているが、携帯電話機１の処理部１１は、一般的にファイル名からアドレスを特定する仕組みを本来備えているため、読み出すデータをファイル名で指定する構成としても良い。
【０１０６】
そして、読出コマンドを送信した後、当該所定アドレスに対応して記憶されているデータ（読み出しデータ）を受信し、所定アドレスのデータが携帯電話機１に搭載されているソフトウェア（例えば、Ｗｅｂブラウザ、動画再生ソフトウェア、音声再生ソフトウェア、アプリケーションプログラム実行環境など）により出力可能かどうかを判定する。出力可能でない場合には、Ｎと判定して処理を終了する。
【０１０７】
出力可能な場合には、Ｙと判定して次のステップに進み、出力可能なソフトウェアによりメモリカード２から読み出したメニューデータを出力し、処理を終了する。例えば、読み出したメニューデータがＨＴＭＬ（Hyper Text Markup Language）ファイルとして作成されたメニューページの場合には、携帯電話機１のＷｅｂブラウザにより出力（表示）する。また、読み出したメニューデータがアプリケーションプログラムとして作成されたメニューアプリの場合には、携帯電話機１のアプリケーションプログラム実行環境により出力（実行・表示）する。
【０１０８】
本実施例においては、読み出したメニューデータはアプリケーションプログラムとして作成されたメニューアプリであり、携帯電話機１のアプリケーションプログラム実行環境によりメニューページとして出力（実行・表示）されるものとする。
【０１０９】
例えば、図１０（ａ）に示すようなメニューページが表示される。このメニューページには、フラッシュメモリ２３に記憶されている全ての広告コンテンツデータにアクセスするための見出し情報として、「ＣＭ映像」（動画データ）へのリンクと、クーポン券（画像データ）へのリンクと、「お試しゲーム」（ゲームデータ）へのリンクと、後述する書換可能化条件の表示ページへのリンクと、が表示されている。
【０１１０】
また、本実施例の携帯電話機１の処理部１１は、メニューアプリの実行に基づいてメニュー処理を実施する。
【０１１１】
図１０（ａ）に示すメニューページが出力されている状態において、利用者からのメニューの選択を受付けると、例えば、「クーポン券」の選択を受付けると、選択されたクーポン券データを取得するための読出コマンドをメモリカード２に送信してクーポン券データを取得する選択データ取得処理を実施する。その後、選択データ出力処理を実施してクーポン券データを出力する。
【０１１２】
広告コンテンツデータの一形態であるクーポン券データには、当該クーポン券の提供店舗に関連する関連コンテンツが配信可能に記憶されたインターネット網上のサーバコンピュータへのリンク情報が含まれており、例えば図１０（ｂ）に示すように、クーポン券の提供店舗の所在地を確認可能なコンテンツの配信を要求するための「ネットで場所を確認」というリンク情報が含まれている。
【０１１３】
そして、メモリカード２の配布時に予め定められている書換可能化条件を充足したかを判定する。この判定処理は、メモリカード２のフラッシュメモリ２３に予め記憶されている広告コンテンツデータである判定プログラムを携帯電話機１に読み出させて、携帯電話機１にて判定プログラムを実行させることにより実施する。
【０１１４】
本実施例の書換可能化条件は、図１０（ｃ）に示すように、所定のキャンペーン期間（１０日後）が経過したか、もしくは、ＣＭ映像を所定回数（１５回）見たか、のいずれかとされている。このような場合には、キャンペーン期間が終了する日付と、所定回数（１５）を格納したＣＭ画像の残り出力回数カウンタを書換可能化条件としてフラッシュメモリ２３に記憶しておけば良い。
【０１１５】
ここで、キャンペーン期間が終了する日付に到達したかを判定する処理について説明すると、フラッシュメモリ２３に予め記憶されている広告コンテンツデータである判定プログラムは、携帯電話機１や基地局、もしくは、インターネット網を介して接続されたサーバコンピュータ（図示略）のいずれかの現在日時を取得するための日時取得ステップを有しており、日時取得ステップにより取得した現在日時とキャンペーン期間が終了する日付を比較することにより、キャンペーン期間が終了する日付に到達したかが判定されるようになっている。
【０１１６】
また、ＣＭ画像の残り出力回数カウンタにかかる処理について説明すると、図１０（ａ）に示すメニューページにおいて「ＣＭ画像」が選択されてその出力を行った後、書換可能化条件の充足判定処理を実施するようになっているが、この判定処理において、ＣＭ画像の残り出力回数カウンタの減算処理を実施するようになっている。詳しくは、まず、メモリカード２の配布時に予め定められたパスワードとともに書換禁止コマンドをメモリカード２に送信する。すると、書き換え禁止が解除されて書き換え可能な状態になる。この状態において、メモリカード２に記憶されているＣＭ画像の残り出力回数カウンタを減算更新し、再度、パスワードとともに書換禁止コマンドをメモリカード２に送信して、メモリカード２を書き換え禁止の状態とする。
【０１１７】
このように、書換可能化条件を充足したかの判定に際しては、キャンペーン期間が終了する日付と現在日時を比較するか、ＣＭ映像の残り出力回数カウンタが０に到達したかを判定すれば良い。
【０１１８】
尚、携帯電話機１にて判定可能な条件であれば、書換可能化条件を任意に設定して良いのは言うまでもない。例えば、メモリカード２の内部にアンケートを入力するページを用意しておき、該ページに入力したアンケートを、携帯電話機１からメモリカード２を配布した事業者のサーバコンピュータに送信することを書換可能化条件としても良い。
【０１１９】
そして、書換可能化条件を充足したと判定した場合には、Ｙと判定して次のステップに進み、前述の判定プログラムの実行に基づいて書換可能化処理を実施する。詳しくは、メモリカード２の配布時に予め定められたパスワードとともに書換禁止コマンドをメモリカード２に送信することで、書き換え禁止を解除させてメモリカード２を書き換え可能な状態にする。
【０１２０】
この書換可能化処理においては、現在日時が期限データと到達したことを書換可能化条件としている場合には、書き換え禁止を解除させてメモリカード２を書き換え可能な状態にするだけでなく、判定プログラムの実行に基づいて広告コンテンツデータを消去する消去コマンドをインタフェース制御部２１に送信させることにより、インタフェース制御部２１が広告コンテンツデータを消去することで、不必要に広告コンテンツデータが残存して、これら広告コンテンツデータが不正に使用されることがないように消去する。
【０１２１】
書換可能化条件が充足された場合に書換可能化処理を実施した後、及び、書換可能化条件が充足されなかった場合には、再度利用者の操作待ち状態となる。
【０１２２】
尚、本実施例では、書換可能化条件を設定して広告コンテンツの閲覧に関する書換可能化条件を満たした場合には、その後においてメモリカード２を通常のメモリカード２として利用できるようにすることで、配布を受ける利用者とっての当該メモリカード２の価値を高めることで、メモリカード２がより多くの利用者に取得されるようにしているが、本発明はこれに限定されるものではなく、本実施例のように、広告用記憶媒体発行装置５０が回収機能を備える場合にあっては、これら書換可能化条件を記憶しないことで、記憶データの書き換えを不能とするようにしても良い。
【０１２３】
以上、本実施例によれば、広告用記憶媒体となるメモリカード２ａ，２ｂ，２ｃを利用者に配布する店舗等の配布場所に広告用記憶媒体発行装置５０を設置することで、当該広告用記憶媒体発行装置５０において、配信サーバコンピュータ３１（ミラーサーバ３３ａ，３３ｂ，３３ｃ…）から配信された広告コンテンツデータがメモリカード２ａ，２ｂ，２ｃに書き込み記憶されて、利用者が取得可能な状態にて保持されるようになり、広告コンテンツデータが記憶されたメモリカード２ａ，２ｂ，２ｃを配送する必要がないばかりか、配布のための陳列等の作業も必要ないので、メモリカード２ａ，２ｂ，２ｃの配布（発行）までに必要な時間を短縮でき、且つ、広告用記憶媒体の発行に必要とされる経費を抑制でき、よって広告用記憶媒体の利用を促進することができる。更には、これら店舗に配送されて余ったカードが無駄となったり、これら余剰のカードを処理する必要もなく、無駄を排除することもできる。
【０１２４】
また、本実施例によれば、広告用記憶媒体発行装置５０が回収機能を備えることで、メモリカード２ａ，２ｂ，２ｃを繰返し使用することができ、発行コストを低減できるばかりか、不用意に捨てられてゴミ化するメモリカード２ａ，２ｂ，２ｃの数を低減できる。
【０１２５】
また、本実施例によれば、保持部となるカードホルダ部５３には、ほぼ定常的に複数、本実施例では１０枚のメモリカード２ａ，２ｂ，２ｃが定常的に保持されるようになるので、利用者が、例えば友人等にもメモリカード２ａ，２ｂ，２ｃを手渡そうとして、複数のメモリカード２ａ，２ｂ，２ｃを取得する場合や、短時間内に複数の利用者がメモリカード２ａ，２ｂ，２ｃを取得する場合においても、保持されているメモリカード２ａ，２ｂ，２ｃがなくなる状況の発生頻度を低減でき、利用者の利便性を向上できる。
【０１２６】
また、本実施例によれば、新たな広告コンテンツデータを受信したときに、ソレノイド６４ａ，６４ｂ，６４ｃにより、保持部であるカードホルダ部５３に残存するメモリカード２ａ，２ｂ，２ｃが、発行口５５ａ，５５ｂ，５５ｃから回収ホッパ５６内に排出されて回収されるようになるので、カードホルダ部５３に残存するメモリカード２ａ，２ｂ，２ｃが全てなくなるまで、新たな広告コンテンツデータが記憶されたメモリカード２ａ，２ｂ，２ｃを提供できなかったり、利用者が新たな広告コンテンツデータが記憶されたメモリカード２ａ，２ｂ，２ｃと思って取得したものが、古い広告コンテンツデータが記憶されたメモリカード２ａ，２ｂ，２ｃであること等の不都合の発生を回避できるとともに、これら保持部に残存するメモリカード２ａ，２ｂ，２ｃも無駄にすることなく、回収して再使用することができる。
【０１２７】
また、本実施例によれば、メモリカード２ａ，２ｂ，２ｃがリライトラベル２７を備えることで、利用者は、メモリカード２ａ，２ｂ，２ｃを携行する形態電話機１に装着することなく、当該メモリカード２ａ，２ｂ，２ｃに記憶されている広告コンテンツの内容等を把握することができるので、利用者の利便性を向上できる。
【０１２８】
また、本実施例によれば、印字部が書き換え印字可能なリライト部２５にて形成されているので、例えば回収した印字部の貼り替え等を実施することなく、簡便に印字を書き換えられるので、迅速にメモリカード２ａ，２ｂ，２ｃを再利用できる。
【０１２９】
また、本実施例によれば、メモリカード２ａ，２ｂ，２ｃが、対応する携帯電話会社の色と携帯電話会社名とを有する種別表示部２６を、その表面に備えていることで、メモリカード２ａ，２ｂ，２ｃに記憶されている広告コンテンツデータが対応する携帯電話機１の種別を、利用者は簡便に、且つ感覚的にも把握することができるので、利用者が、自身が利用（携行）する携帯電話機１（利用者端末）にて閲覧できない広告コンテンツデータが記憶された広告用記憶媒体を誤って入手（配布を受ける）することを、極力回避することができる。
【０１３０】
また、本実施例によれば、広告用記憶媒体発行装置５０が回収ユニット６５を備えているので、回収されたメモリカード２ａ，２ｂ，２ｃが、その種別毎に自動的に仕分けられて広告用記憶媒体貯留部となるカードストッカ６９にて貯留されるようになるので、これら回収したメモリカード２ａ，２ｂ，２ｃを人的に仕分ける必要がなく、これら各種別毎のメモリカード２ａ，２ｂ，２ｃの再利用を容易に実施できるようになる。
【０１３１】
また、本実施例によれば、表示部５２’やスピーカ７８から広告情報となる広告表示や広告音声を出力することで、発行中のメモリカード２ａ，２ｂ，２ｃに記憶されている広告コンテンツの例えば内容等を、利用者に積極的にアピールできるようになるので、メモリカード２ａ，２ｂ，２ｃの利用者の取得を促進することができる。
【０１３２】
また、本実施例によれば、広告音声の出力を、人接近検知手段となる赤外線近接センサユニット７７にて人の接近を検知したときにおいて実施しているので、装置の近傍に人がいない状況において、不必要に広告音声が出力されてしまい、店舗における音環境を悪化させてしまうことを回避できるとともに、不必要な広告音声を出力しないことで、これら広告音声を出力に要する電力等を削減でき、よって、効率的なアピールを実施できる。
【０１３３】
以上、本発明の実施例を図面により説明してきたが、具体的な構成はこれら実施例に限られるものではなく、本発明の要旨を逸脱しない範囲における変更や追加があっても本発明に含まれる。
【０１３４】
例えば、前記実施例では、リライトラベル２７をメモリカード２ａ，２ｂ，２ｃに貼付する態様で形成しているが、本発明はこれに限定されるものではなく、これらを、メモリカードに付加する紙等であっても良い。
【０１３５】
また、前記実施例では、利用者端末として、利用者が携行可能な携帯電話機１を例示しており、このようにすることは、利用者が移動先等においても、空いている時間等に広告コンテンツを自由に閲覧できるようになり、利用者の利便性を向上できることから好ましいが、本発明はこれに限定されるものではなく、これら携帯電話機１を、その他の携行可能な小型のコンピュータ端末としたり、更には、これら利用者端末をデスクトップパソコン等の携行不能な端末としても良い。
【０１３６】
また、前記実施例では、広告用記憶媒体としてメモリカード２を例示しているが、本発明はこれに限定されるものではなく、利用者端末としてノートパソコンやデスクトップパソコン等を用いる場合には、これらメモリカード２に代えて、これら広告用記憶媒体を、これらノートパソコンやデスクトップパソコン等に汎用的に設けられているＵＳＢ（Universal Serial Bus）インターフェイスに着脱可能なＵＳＢメモリとしても良い。
【０１３７】
また、前記実施例では、メモリカードの種別を３種類としていが、本発明はこれに限定されるものではなく、これらの種別数は、対象とする利用者端末の状況等に応じて適宜に選択すれば良く、例えば、広告主が広告の対象としたい携帯電話機１がキャリアＡとキャリアＢのみであれば、メモリカード２ａ，２ｂのみを発行するようにしても良い。
【０１３８】
また、前記実施例では、カードホルダ部５３におけるストック枚数を１０枚としているが、本発明はこれに限定されるものではなく、これらの枚数は適宜に選択すれば良い。
【０１３９】
また、前記実施例においては、フラッシュメモリ２３の記憶領域の全てを書き込みや消去の禁止の対象としているが、本発明はこれに限定されるものではなく、これら書き込みや消去の禁止を、対象のアドレスデータと対応付けてレジスタ等に格納しておくことにより、広告コンテンツデータが記憶された記憶領域のみを書き込みや消去の禁止対象とし、それ以外のフラッシュメモリ２３の記憶領域は、書き込みや消去の禁止対象とせずに、通常のメモリカードとして使用できるようにしても良い。
【図面の簡単な説明】
【０１４０】
【図１】本発明の実施例における広告用記憶媒体発行システムの構成を示すシステム図である。
【図２】本発明の実施例に用いた広告用記憶媒体発行装置５０を示す外観斜視図である。
【図３】本発明の実施例の広告用記憶媒体発行装置５０における表示部５２’における表示状態を示す図である。
【図４】本発明の実施例の広告用記憶媒体発行装置５０の図２におけるＡ−Ａ断面を示す断面図である。
【図５】本発明の実施例の広告用記憶媒体発行装置５０のブロック図である。
【図６】本発明の実施例に用いたメモリカード２ａ，２ｂ，２ｃを示す図である。
【図７】本発明の実施例の広告用記憶媒体発行装置５０におけるメモリカード２ａ，２ｂ，２ｃの再利用の状況を示す説明図である。
【図８】本発明の実施例に用いたメモリカード２の使用状況を示す図である。
【図９】本発明の実施例に用いた携帯電話機１とメモリカード２の構成を示すブロック図である。
【図１０】（ａ）は広告コンテンツを構成するメニューページを示す図であり、（ｂ）は広告コンテンツの一形態であるクーポン券を示す図であり、（ｃ）は広告コンテンツを構成する書換可能化条件の表示ページを示す図である。
【符号の説明】
【０１４１】
１                携帯電話機
２                メモリカード（広告用記憶媒体）
３                装着部
４                ディスプレイ
１１              処理部
１２              メモリ
１３              無線アンテナ
１４              ディスプレイドライバ
１５              メモリカードドライバ
２１              インタフェース制御部
２２              レジスタ
２３              フラッシュメモリ
２４              インタフェースドライバ
２５              リライト部
２６              種別表示部
２７              リライトラベル
３１              配信サーバコンピュータ
３３ａ〜ｃ        ミラーサーバ
５０              広告用記憶媒体発行装置
５２              液晶モジュール
５２’            表示部
５３              カードホルダ部
５５ａ〜ｃ        発行口
５６              回収ホッパ
５８ａ〜ｃ        取出検知センサ
６０              通信アンテナ
６１              制御ユニット
６２              カードリーダライタ
６４ａ〜ｃ        ソレノイド
６５              回収ユニット
６６              搬送ユニット
６７              揚送ユニット
６９              カードストッカ
７１              無線ＬＡＮ通信モジュール
７０ａ〜ｃ        残量センサ
７６              フラッシュメモリ
７７              赤外線近接センサユニット
７８              スピーカ
【図１】
2007122375.tif 000003
【図２】
2007122375.tif 000004
【図３】
2007122375.tif 000005
【図４】
2007122375.tif 000006
【図５】
2007122375.tif 000007
【図６】
2007122375.tif 000008
【図７】
2007122375.tif 000009
【図８】
2007122375.tif 000010
【図９】
2007122375.tif 000011
【図１０】
2007122375.tif 000012